(57)【要約】【課題】収納空間内を明るく照らしつつ、物品の収納時及び取り出し時に障害となり難く、且つデザイン性を向上できる照明ユニットを備えたキャビネットを提供する。【解決手段】固定枠体と、前記固定枠体に対して前後方向に摺動させて開閉可能であり、前記固定枠体内の収容空間に収容可能な可動枠体と、前記収容空間に面する前記固定枠体の両内側面又は天面の左右に夫々配設される照明ユニットであって、ＬＥＤが取り付けられた基板を備える光源と、前記光源を取り付けるための取付部と、照射面を備えた前記光源を覆うカバー部と、を有する前記照明ユニットと、前記可動枠体の開閉を検知する検知手段と、を備えたキャビネットにおいて、前記検知手段にて前記可動枠体の開放を検知した際、前記固定枠体よりも前方に位置する前記可動枠体内の収納空間に、前記照明ユニットから光を照射する。【選択図】図１
2020130504.tif 000002
【特許請求の範囲】
【請求項１】
固定枠体と、
前記固定枠体に対して前後方向に摺動させて開閉可能であり、前記固定枠体内の収容空間に収容可能な可動枠体と、
前記収容空間に面する前記固定枠体の両内側面又は天面の左右に夫々配設される照明ユニットであって、ＬＥＤが取り付けられた基板を備える光源と、前記光源を取り付けるための取付部と、照射面を備えた前記光源を覆うカバー部と、を有する前記照明ユニットと、
前記可動枠体の開閉を検知する検知手段と、
を備え、
前記検知手段にて前記可動枠体の開放を検知した際、前記固定枠体よりも前方に位置する前記可動枠体内の収納空間に、前記照明ユニットから光を照射するキャビネット。
【請求項２】
前記照明ユニットは、前記固定枠体の前記両内側面に夫々配設される請求項１記載のキャビネット。
【請求項３】
前記照射面は、所定の方向に沿って延び、前記両内側面に対して直交する方向へ傾斜して設けられる請求項２記載のキャビネット。
【請求項４】
前記両内側面の一方に設けられる前記照明ユニットは、光を発した際に、前記収納空間の底面における左右方向の中央部を第１照度で照射し、
前記一方に設けられる前記照明ユニットは、前記光源の前記取付部への取り付け位置を変更して前記両内側面の他方に設けた際、前記中央部を前記第１照度で照射可能である請求項３記載のキャビネット。
【請求項５】
前記取付部は、
前記所定の方向に沿って延び、上下方向に対して第１角度で傾斜し、下方に向いた第１傾斜面と、
前記所定の方向に沿って延び、上下方向に対して前記第１角度で傾斜し、前記第１傾斜面の上端と連なり、上方に向いた第２傾斜面と、
を有し、
前記光源は、前記第１傾斜部及び前記第２傾斜部のいずれにも取り付け可能である請求項３記載のキャビネット。
【請求項６】
前記照明ユニットは、前記照射面の傾斜の角度を調整するための調整機構をさらに有する請求項３記載のキャビネット。
【請求項７】
前記調整機構は、前記照明ユニットの前記両内側面への着脱時のみ操作可能である請求項６記載のキャビネット。
【請求項８】
前記検知手段は、非接触式のセンサである請求項１〜７のいずれか１つに記載のキャビネット。
【発明の詳細な説明】
【技術分野】
【０００１】
本発明の態様は、一般的に、キャビネットに関する。
【背景技術】
【０００２】
従来、使用者の操作に応じてキャビネット内部の収納空間を明るく照らすことが可能なキャビネットが知られている。例えば、特許文献１には、観音扉の開閉動作に応じてキャビネット内部の収納空間を明るく照らし出す照明ユニットを、キャビネットに設けることが記載されている。
【先行技術文献】
【特許文献】
【０００３】
【特許文献１】特開２００１−３２５８２７号公報
【発明の概要】
【発明が解決しようとする課題】
【０００４】
特許文献１に記載のキャビネットでは、観音扉を開いた際に、天板の中央に設けられた照明ユニットが、キャビネットの奥に向けて光を照射する。これにより、キャビネット内部の奥隅まで光が照らされ、キャビネットの内部を確認し易くなる。
しかしながら、特許文献１に記載された照明ユニットの構成を、引き出し型のキャビネットに適用した場合、前方へ引き出される収納空間に光を照射することができない。また、光の照射方向を後方から前方に変更したとしても、照明ユニットがキャビネットの左右方向における中央に配置されているため、物品の収納時や物品の取り出し時に照明ユニットが障害となり易く、且つ使用者の目につくためデザイン性に優れないといった課題が残る。
【０００５】
本発明は、かかる課題の認識に基づいてなされたものであり、収納空間内を明るく照らしつつ、物品の収納時及び取り出し時に障害となり難く、且つデザイン性を向上できる照明ユニットを備えたキャビネットを提供することを目的とする。
【課題を解決するための手段】
【０００６】
第１の発明は、固定枠体と、前記固定枠体に対して前後方向に摺動させて開閉可能であり、前記固定枠体内の収容空間に収容可能な可動枠体と、前記収容空間に面する前記固定枠体の両内側面又は天面の左右に夫々配設される照明ユニットであって、ＬＥＤが取り付けられた基板を備える光源と、前記光源を取り付けるための取付部と、照射面を備えた前記光源を覆うカバー部と、を有する前記照明ユニットと、前記可動枠体の開閉を検知する検知手段と、を備え、前記検知手段にて前記可動枠体の開放を検知した際、前記固定枠体よりも前方に位置する前記可動枠体内の収納空間に、前記照明ユニットから光を照射するキャビネットである。
【０００７】
このキャビネットによれば、可動枠体の開放時に、収納空間内を照明ユニットによって明るくすることができる。従って、キャビネットが設置された部屋が暗いときでも、可動枠体に収納された小物などの探索が容易となる。また、照明ユニットを左右夫々に配設することにより、物品の収納時や取り出し時に照明ユニットが障害となり難く、デザイン性を向上でき、且つ中央部分に比べて暗くなりやすい左右の端部を明るく照らすことができる。
【０００８】
第２の発明は、第１の発明において、前記照明ユニットは、前記固定枠体の前記両内側面に夫々配設されるキャビネットである。
【０００９】
このキャビネットによれば、１つの固定枠体に対して複数の固定枠体が上下に重ねて設けられる場合でも、下側の可動枠体の収納空間を照らす照明ユニットを配設する際に、新たに横桟などの部材を追加する必要がない。このため、キャビネットの部品点数を削減でき製造コストの低減を図れるとともに、キャビネットを組み立てる際の施工手順も削減でき生産性向上を図ることができる。
【００１０】
第３の発明は、第２の発明において、前記照射面は、所定の方向に沿って延び、前記両内側面に対して直交する方向へ傾斜して設けられるキャビネットである。
【００１１】
このキャビネットによれば、照明ユニットから、前方と、内側面に対して直交する方向と、に光を照射できる。このため、ＬＥＤの出力の増大を抑制しつつ、効率的に収納空間を照らすことができる。また、照明ユニットのサイズの増大を抑制できるため、照明ユニット及びキャビネットのデザイン性を向上できる。
【００１２】
第４の発明は、第３の発明において、前記両内側面の一方に設けられる前記照明ユニットは、光を発した際に、前記収納空間の底面における左右方向の中央部を第１照度で照射し、前記一方に設けられる前記照明ユニットは、前記光源の前記取付部への取り付け位置を変更して前記両内側面の他方に設けた際、前記中央部を前記第１照度で照射可能であるキャビネットである。
【００１３】
このキャビネットによれば、光源の取付部への取り付け位置を変えるだけで、照明ユニットを、両内側面のどちらにも適用できる。すなわち、左側方に配設される照明ユニットの部品と、右側方に配設される照明ユニットの部品と、を共通化できる。このため、キャビネットの部品点数を削減でき、製造コストの低減や、部品の管理コストの低減が可能となる。
【００１４】
第５の発明は、第３の発明において、前記取付部は、前記所定の方向に沿って延び、上下方向に対して第１角度で傾斜し、下方に向いた第１傾斜面と、前記所定の方向に沿って延び、上下方向に対して前記第１角度で傾斜し、前記第１傾斜面の上端と連なり、上方に向いた第２傾斜面と、を有し、前記光源は、前記第１傾斜部及び前記第２傾斜部のいずれにも取り付け可能であるキャビネットである。
【００１５】
このキャビネットによれば、第１傾斜面及び第２傾斜面が、夫々上方及び下方に向いており、上下方向に対して同じ角度で傾斜している。照明ユニットが配設される内側面に応じて光源を取り付ける傾斜面を選択することで、照明ユニットを両内側面のどちらにも適用できる。すなわち、左側方に配設される照明ユニットの部品と、右側方に配設される照明ユニットの部品と、を共通化できる。このため、キャビネットの部品点数を削減でき、製造コストの低減や、部品の管理コストの低減が可能となる。
【００１６】
第６の発明は、第３の発明において、前記照明ユニットは、前記照射面の傾斜の角度を調整するための調整機構をさらに有するキャビネットである。
【００１７】
このキャビネットによれば、可動枠体の左右方向の寸法及び前後方向の寸法に応じて、照明ユニットから照射される光の照射方向を調整できる。従って、可動枠体の寸法が異なる複数のキャビネットに対して、共通の照明ユニットを用いることができる。例えば、複数のキャビネットに対する照明ユニットの共通化により、部品点数を削減でき、製造コストの低減や、部品の管理コストの低減が可能となる。
【００１８】
第７の発明は、第６の発明において、前記調整機構は、前記照明ユニットの前記内側面への着脱時のみ操作可能であるキャビネットである。
【００１９】
このキャビネットによれば、物品の収納時や取り出し時に、物品や手が意図せず照明ユニットと接触したときでも、照射面の傾斜角度が変化することを抑制でき、調整した傾斜角度を保つことができる。
【００２０】
第８の発明は、第１〜第７のいずれか１つの発明において、前記検知手段は、非接触式のセンサであるキャビネットである。
【００２１】
このキャビネットによれば、接触式のスイッチ等を設ける場合に比べて、検知手段を小型化できる。検知手段の小型化により、例えば、検知手段や、検知手段が設けられる部分のデザイン性を向上できる。また、接触式のスイッチ等を検知手段として用いる場合に比べて、可動枠体を固定枠体に収容した際、検知手段に加わる衝撃を軽減できる。このため、衝撃による検知手段の故障や不具合の発生を抑制できる。
【発明の効果】
【００２２】
本発明の態様によれば、収納空間内を明るく照らしつつ、物品の収納時及び取り出し時に障害となり難く、且つデザイン性を向上できる照明ユニットを備えたキャビネットを提供できる。
【図面の簡単な説明】
【００２３】
【図１】実施形態に係るキャビネットを表す図である。
【図２】実施形態に係るキャビネットを表す断面図である。
【図３】実施形態に係るキャビネットの照明ユニットを表す斜視図である。
【図４】実施形態に係るキャビネットの照明ユニットを表す図である。
【図５】実施形態に係るキャビネットの照明ユニットを表す断面図である。
【図６】実施形態に係るキャビネットの照明ユニットを表す図である。
【図７】照明ユニットの光源を表す図である。
【図８】照明ユニットの取付部を表す図である。
【図９】照明ユニットの取付部を表す図である。
【図１０】照明ユニットの固定部を表す図である。
【図１１】照明ユニットの固定部を表す断面図である。
【図１２】照明ユニットの調整機構を表す断面図である。
【図１３】照明ユニットのカバー部を表す図である。
【発明を実施するための形態】
【００２４】
以下、本発明の実施形態について図面を参照しつつ説明する。なお、各図面中、同様の構成要素には同一の符号を付して詳細な説明は適宜省略する。
図１（ａ）は、実施形態に係るキャビネット１を表す正面図である。図１（ｂ）は、実施形態に係るキャビネット１を表す平面図である。図１（ｃ）は、実施形態に係るキャビネット１を表す側面図である。
図２（ａ）は、図１（ｂ）のＡ−Ａ断面図である。図２（ｂ）は、図１（ａ）のＢ−Ｂ断面図である。図２（ｃ）は、図１（ａ）のＣ−Ｃ断面図である。
【００２５】
実施形態に係るキャビネット１は、図１（ａ）〜図１（ｃ）及び図２（ａ）〜図２（ｃ）に表したように、固定枠体１０及び可動枠体２０を備える。固定枠体１０は、水平な一方向に向けて開いた開口を有する。可動枠体２０は、その一方向に沿って、固定枠体１０に対して摺動可能である。使用者は、開口を通して固定枠体１０の内側に向けて可動枠体２０を摺動させることで、可動枠体２０を固定枠体１０の内側に収容できる。また、使用者は、固定枠体１０に収容された可動枠体２０を、開口を通して固定枠体１０から離れる方向へ摺動させることで、可動枠体２０を固定枠体１０から引き出すことができる。
【００２６】
ここでは、固定枠体１０の内側に収容された可動枠体２０を引き出す方向を、「前方」とする。固定枠体１０から引き出された可動枠体２０を、固定枠体１０の内側に向けて押し入れる方向を、「後方」とする。後方は、前方の反対である。また、これらの前後方向を基準とした左側方、右側方、上方、及び下方を、夫々「左側方」、「右側方」、「上方」、及び「下方」とする。
【００２７】
固定枠体１０は、前方が開いた箱状の枠体である。固定枠体１０は、具体的には、一対の側板１１、後板１２、底板１３、及び天板１４を有する。これらの板状の部材により、固定枠体１０の内部には、図２（ｂ）及び図２（ｃ）に表したように、可動枠体２０を収容するための収容空間ＳＰ１が形成されている。
【００２８】
可動枠体２０は、上方が開いた箱状の枠体である。可動枠体２０は、具体的には、一対の側板２１、後板２２、底板２３、及び前板２４を有する。これらの板状の部材により、可動枠体２０の内部には、図１（ｂ）及び図２（ａ）〜図２（ｃ）に表したように、物品を収納するための収納空間ＳＰ２が形成されている。
【００２９】
固定枠体１０に収容される可動枠体２０の数は、任意である。図１（ａ）〜図１（ｃ）及び図２（ａ）〜図２（ｃ）に表した例では、１つの固定枠体１０に、上下に重ねて２つの可動枠体２０が収容されている。この例に限定されず、１つの固定枠体１０には、上下に３つ以上の可動枠体２０が重ねて収容されても良い。また、１つの固定枠体１０に、左右に複数の可動枠体２０が並べて収容されても良い。
【００３０】
例えば、固定枠体１０は、仕切り板１５をさらに有する。仕切り板１５は、底板１３と天板１４との間に位置し、水平方向に沿って設けられている。仕切り板１５により、側板１１、後板１２、底板１３、及び天板１４により囲まれた空間が、上下に２つに分断される。これにより、固定枠体１０の内側には、２つの収容空間ＳＰ１が形成される。固定枠体１０の各収容空間ＳＰ１には、可動枠体２０が収容される。
【００３１】
又は、固定枠体１０は、仕切り板１５を有していなくても良い。この場合、各可動枠体２０が収容される収容空間ＳＰ１は、互いに繋がった状態となる。例えば、上段の可動枠体２０は、側板１１の内側面に設けられたレール等により、底板１３から離れた状態で保持されて収容される。
【００３２】
収容空間ＳＰ１に収容された可動枠体２０を前方に摺動させると、収納空間ＳＰ２が固定枠体１０の外部空間に露出する。これにより、可動枠体２０が開放される。使用者は、開放された可動枠体２０の収納空間ＳＰ２に、物品を収納したり、収納空間ＳＰ２から物品を取り出したりできる。
【００３３】
可動枠体２０を収容空間ＳＰ１に向けて後方に摺動させると、固定枠体１０の前方に向いた開口は、可動枠体２０の前板２４により塞がれる。これにより、可動枠体２０が閉鎖され、収納空間ＳＰ２に収納された物品は、使用者からは見えなくなる。
【００３４】
可動枠体２０を固定枠体１０に対して滑らかに摺動させるために、図２（ｂ）及び図２（ｃ）に表したように、キャビネット１にはガイドレール１６が設けられている。ガイドレール１６は、スライダ及びレールを有する。スライダ及びレールの一方は、固定枠体１０に取り付けられ、スライダ及びレールの他方は、可動枠体２０に取り付けられる。
【００３５】
キャビネット１は、照明ユニット３０及び検知手段４０をさらに備える。
照明ユニット３０は、図２（ａ）〜図２（ｃ）に表したように、固定枠体１０の内側面Ｓ１及びＳ２に夫々配設されている。内側面Ｓ１は、右側方に設けられた側板１１の内面の少なくとも一部であり、収容空間ＳＰ１に面する部分である。同様に、内側面Ｓ２は、左側方に設けられた側板１１の内面の少なくとも一部であり、収容空間ＳＰ１に面する部分である。
【００３６】
検知手段４０は、可動枠体２０の開閉を検知する。検知手段４０にて可動枠体２０の開放が検知されると、照明ユニット３０は、収納空間ＳＰ２に光を照射する。具体的な一例として、検知手段４０による検知結果は、照明ユニット３０と接続された電源を制御するコントローラに入力される。コントローラは、検知手段４０による検知結果に基づき、照明ユニット３０の点灯及び消灯を制御する。
【００３７】
照明ユニット３０は、図２（ａ）〜図２（ｃ）に破線で表したように、主に、固定枠体１０よりも前方へ光Ｌを照射する。これにより、可動枠体２０を固定枠体１０に対して前方へ引き出した際に、引き出された可動枠体２０の収納空間ＳＰ２に光Ｌが効率的に照射される。
【００３８】
照明ユニット３０は、内側面Ｓ１及びＳ２の前方側に設けられることが望ましい。例えば、可動枠体２０を固定枠体１０から脱落しないように限界まで引き出した際に、照明ユニット３０の少なくとも一部が、可動枠体２０の後端の上方または後端よりも前方に位置するように、照明ユニット３０が設けられる。こうすることで、可動枠体２０を限界まで引き出したときでも、後板２２により光が遮られることを抑制でき、収納空間ＳＰ２を十分に照らすことができる。
【００３９】
検知手段４０は、非接触式のセンサである。例えば、検知手段４０は、図２（ｃ）に表したように、ホールＩＣ４１及び磁石４２を有する。ホールＩＣ４１及び磁石４２の一方は固定枠体１０に対して固定され、ホールＩＣ４１及び磁石４２の他方は可動枠体２０に対して固定される。図２（ｃ）の例では、ホールＩＣ４１が、固定枠体１０に対して固定された照明ユニット３０に設けられている。磁石４２は、可動枠体２０の前板２４に設けられている。可動枠体２０が摺動すると、ホールＩＣに印加される磁場が変化する。検知手段４０は、この磁場の変化に基づいて、可動枠体２０の開閉を検知する。
【００４０】
検知手段４０は、その他の非接触式のセンサであっても良い。例えば、検知手段４０は、透過センサ、レーザセンサ、超音波センサ、光位置センサ、マイクロ波センサ、又は赤外線センサなどを有していても良い。ただし、検知の精度やコストなどの観点から、検知手段４０は、ホールＩＣ及び磁石を有することが望ましい。
【００４１】
又は、検知手段４０は、接触式のスイッチであっても良い。一例として、可動枠体２０が収容空間ＳＰ１に収容されている間は、可動枠体２０によってスイッチが押される。検知手段４０は、このスイッチのオン及びオフに基づいて、可動枠体２０の開閉を検知する。
【００４２】
図３（ａ）及び図３（ｂ）は、実施形態に係るキャビネット１の照明ユニット３０を表す斜視図である。
図４（ａ）は、実施形態に係るキャビネット１の照明ユニット３０を表す正面図である。図４（ｂ）は、実施形態に係るキャビネット１の照明ユニット３０を表す平面図である。図４（ｃ）は、実施形態に係るキャビネット１の照明ユニット３０を表す側面図である。
図５は、図４（ｂ）のＡ−Ａ断面図である。
図６（ａ）は、実施形態に係るキャビネット１の照明ユニット３０を表す平面図である。図６（ｂ）は、実施形態に係るキャビネット１の照明ユニット３０を表す側面図である。
【００４３】
図３〜図６を参照して、照明ユニット３０について具体的に説明する。照明ユニット３０は、内側面Ｓ１に配設される場合と、内側面Ｓ２に配設される場合と、で兼用できるように構成されている。図３〜図５は、内側面Ｓ１に配設された照明ユニット３０を表し、図６は、内側面Ｓ２に配設された照明ユニット３０を表している。以下では、主に、右側方の側板１１の内側面Ｓ１に配設される照明ユニット３０について説明する。以下で述べる構成は、左側方の側板１１の内側面Ｓ２に配設される照明ユニット３０についても同様に適用可能である。
【００４４】
図３〜図６に表したように、照明ユニット３０は、光源３１、取付部３２、カバー部３３、固定部３４、及び調整機構３５を有する。
【００４５】
光源３１は、収納空間ＳＰ２に向けて光を照射する。光源３１は、取付部３２に取り付けられ、カバー部３３により覆われている。換言すると、光源３１は、取付部３２及びカバー部３３により囲まれた空間に設けられる。
【００４６】
カバー部３３は、照射面３３ａを有する。照射面３３ａは、光源３１から発せられた光の少なくとも一部を透過させる。例えば、カバー部３３は、乳白色であり、光源３１から発せられた光を散乱させる。これにより、照射面３３ａの各点から収納空間ＳＰ２に向けて、より均一に光が照射される。
【００４７】
カバー部３３は、所定の方向に沿って延びる筒状の部材である。例えば、カバー部３３の形状は、上端から下端に亘って湾曲した半円筒状である。カバー部３３は、光が発せられる照射面３３ａが側板１１の内側面と交差する方向に沿って延びるように、取付部３２に固定される。
【００４８】
具体的には、照射面３３ａは、側板１１の内側面Ｓ１及びＳ２に対して直交する方向（左右方向）へ傾斜している。例えば図４（ｂ）に表したように、内側面Ｓ１に配設された照明ユニット３０では、照射面３３ａの後部が、照射面３３ａの前部よりも左側方に位置している。同様に、内側面Ｓ２に配設された照明ユニット３０では、図６（ａ）に表したように、照射面３３ａの後部が、照射面３３ａの前部よりも右側方に位置している。
【００４９】
調整機構３５は、例えば棒状の部材であり、照射面３３ａの上述した傾斜角度を調整するために設けられる。照明ユニット３０を配設する際に、調整機構３５を用いて左右夫々の照射面３３ａの傾斜角度を調整することで、可動枠体２０の収納空間ＳＰ２をより効率的に照射できるようになる。
【００５０】
光源３１及びカバー部３３は、取付部３２に固定される。また、取付部３２及び調整機構３５は、固定部３４に固定される。固定部３４は、側板１１の内側面に固定される。すなわち、照明ユニット３０の各構成要素は、固定部３４を介して固定枠体１０に固定される。
【００５１】
例えば、取付部３２は、ねじ穴３２ａ及び複数のねじ穴３２ｂを有する。固定部３４は、ねじ穴３４ａ、ねじ穴３４ｂ、及びねじ穴３４ｃを有する。調整機構３５は、延在する方向の両端に不図示のねじ穴を有する。
【００５２】
固定部３４は、不図示のねじをねじ穴３４ａに通して側板１１の内側面に締結することで、固定枠体１０に固定される。固定部３４のねじ穴３４ｂは、図３（ａ）に表したように、取付部３２のねじ穴３２ａと重ね合わされ、ねじＳにより固定される。固定部３４のねじ穴３４ｃは、調整機構３５の一端のねじ穴と重ね合わされ、ねじＳにより固定される。調整機構３５の他端のねじ穴は、図３（ｂ）に表したように、取付部３２の複数のねじ穴３２ｂのいずれかと重ね合わされ、ねじＳにより固定される。
【００５３】
照射面３３ａの傾斜角度の調整方法は、以下の通りである。まず、固定部３４のねじ穴３４ｂを、取付部３２のねじ穴３２ａと重ね合わせ、ねじＳで緩やかに締結する。これにより、取付部３２が、固定部３４に対して水平方向に回動可能な状態となる。次に、固定部３４のねじ穴３４ｃを、調整機構の一端のねじ穴と重ね合わせ、ねじＳにより緩やかに締結する。これにより、調整機構３５が、固定部３４に対して水平方向に回動可能な状態となる。
【００５４】
取付部３２を固定部３４に対して回動させることで、照射面３３ａの傾斜角度を所望の角度に調整する。傾斜角度を調整した後は、調整機構３５を固定部３４に対して回動させ、取付部３２の複数のねじ穴３２ｂのいずれかと、調整機構３５の他端のねじ穴と、を重ね合わせ、ねじＳで締結する。その後、他のねじＳも締結する。これにより、照射面３３ａの傾斜角度が所望の角度で固定される。照射面３３ａの傾斜角度を調整した後は、固定部３４のねじ穴３４ａにねじを通して締結し、照明ユニット３０を固定枠体１０に固定する。
【００５５】
上述した例に代えて、調整機構３５の一端は、取付部３２に形成された溝や窪みに圧入されても良い。例えば、取付部３２には、取付部３２が延びる方向に沿って溝が形成される。調整機構３５の一端は、この溝の任意の位置に圧入される。この構成によれば、取付部３２に対する調整機構３５の一端の位置を、連続的に変化させることができる。このため、取付部３２の傾斜角度をより細かく調整することが可能となる。
【００５６】
実施形態の効果を説明する。
実施形態に係るキャビネット１は、可動枠体２０の収納空間ＳＰ２に光を照射する照明ユニット３０を備える。キャビネット１の使用者が可動枠体２０を引き出すと、検知手段４０が可動枠体２０の開放を検知し、照明ユニット３０から光が照射される。このため、キャビネット１が設置された部屋が暗いときでも、収納空間ＳＰ２が明るく照らされる。これにより、例えば、可動枠体２０に収納された小物などの探索が容易となる。
また、照明ユニット３０は、収容空間ＳＰ１に面する固定枠体１０の両内側面Ｓ１及びＳ２に夫々配設される。このため、収納空間ＳＰ２への物品の収納時や収納空間ＳＰ２からの物品の取り出し時に、照明ユニット３０が障害となり難い。また、照明ユニット３０が使用者から目に付きにくく、キャビネット１のデザイン性も向上させることができる。さらに、収納空間ＳＰ２において、中央部分に比べて暗くなり易い左右の端部をより明るく照らすことができる。
【００５７】
照明ユニット３０は、両内側面Ｓ１及びＳ２に夫々配設される代わりに、収容空間ＳＰ１に面する天面Ｓ３（図２（ｂ）に示す）の左右に夫々配設されても良い。具体的には、照明ユニット３０は、収納空間ＳＰ２の左右方向における中心に対して左右に夫々位置するように、天面Ｓ３に配設される。照明ユニット３０が天面Ｓ３の左右に夫々配設された場合も、物品の収納時や物品の取り出し時に照明ユニットが障害となり難く、デザイン性を向上でき、且つ左右の端部を明るく照らすことができる。
ただし、上下に重なる複数の可動枠体２０を備えるキャビネット１において、固定枠体１０に仕切り板１５が設けられない場合もある。この場合、下側の可動枠体２０の収納空間ＳＰ２を照らす照明ユニット３０を配設するために、上側の可動枠体２０と下側の可動枠体２０との間に横桟を設ける必要がある。横桟を設けずに、照明ユニット３０を上側の可動枠体２０の底面に取り付けると、上段の可動枠体２０の開閉に応じて照明ユニット３０による光の照射位置が変化してしまうためである。一方で、横桟を設けると、キャビネット１の部品点数が増加し、施工手順も増える。このため、より望ましくは、照明ユニット３０は、両内側面Ｓ１及びＳ２に夫々配設される。照明ユニット３０を両内側面Ｓ１及びＳ２に夫々配設することで、仕切り板１５が無い固定枠体１０に対しても、横桟の取付が不要となる。これにより、キャビネット１の部品点数を削減でき製造コストの低減を図れるとともに、キャビネット１を組み立てる際の施工手順も削減でき生産性向上を図ることができる。
【００５８】
また、照明ユニット３０において、照射面３３ａは、所定の方向に沿って延びている。照射面３３ａの延びる方向は、両内側面Ｓ１及びＳ２に対して直交する方向へ傾斜している。照明ユニット３０からは、前方と、内側面Ｓ１及びＳ２に対して直交する方向と、に光が照射される。このため、照明ユニット３０のＬＥＤの出力の増大を抑制しつつ、効率的に収納空間ＳＰ２を照らすことができる。また、効率的に収納空間ＳＰ２を照らせることで、照明ユニット３０のサイズの増大を抑制でき、照明ユニット３０及びキャビネット１のデザイン性を向上できる。
【００５９】
さらに、上述した照射面３３ａの傾斜角度は、調整機構３５を用いて調整できる。例えば、可動枠体２０の左右方向の寸法及び前後方向の寸法に応じて、照明ユニット３０から照射される光の照射方向を調整できる。従って、可動枠体２０の寸法が異なる複数のキャビネット１に対して、共通の照明ユニット３０を用いることができる。例えば、複数のキャビネット１に対して照明ユニット３０を共通化することで、部品点数を削減し、製造コストの低減や、部品の管理コストの低減が可能となる。
【００６０】
また、調整機構３５は、照明ユニット３０が内側面Ｓ１、Ｓ２又は天面Ｓ３から取り外されている着脱時のみ、操作可能である。例えば、調整機構３５は、図３（ｂ）に表したように、一端のねじ穴が、取付部３２のねじ穴３２ｂと締結される。これにより、照射面３３ａの傾斜角度が固定される。このとき、ねじＳの頭は上方を向いており、照明ユニット３０を内側面Ｓ１、Ｓ２又は天面Ｓ３に取り付けた状態では、ねじＳを緩めることができない。すなわち、照射面３３ａの傾斜角度を変化させることができない。
こうすることで、使用者が物品の収納時や取り出し時に、物品や手が意図せず照明ユニット３０と接触したときでも、その衝撃により照射面３３ａの傾斜角度が変化することを抑制でき、調整した傾斜角度を保つことができる。
【００６１】
検知手段４０については、接触式のスイッチ等であっても良いが、非接触式のセンサであることが望ましい。非接触式のセンサを用いることで、接触式のスイッチ等を設ける場合に比べて、検知手段４０を小型化できる。検知手段４０の小型化により、例えば、検知手段４０や、検知手段４０が設けられる部分のデザイン性を向上できる。また、接触式のスイッチ等を検知手段４０として用いる場合に比べて、可動枠体２０を固定枠体１０に収容した際、検知手段４０に加わる衝撃を軽減できる。このため、衝撃による検知手段４０の故障や不具合の発生を抑制できる。
【００６２】
以降では、照明ユニット３０の各構成要素について、図面を参照しながら具体的に説明する。
【００６３】
図７（ａ）は、照明ユニット３０の光源３１を表す正面図である。図７（ｂ）は、照明ユニット３０の光源３１を表す平面図である。
図７（ａ）及び図７（ｂ）に表したように、光源３１は、ＬＥＤ３１ａ、基板３１ｂ、コネクタ３１ｃ、及びハーネス３１ｄを有する。ＬＥＤ３１ａは、基板３１ｂに取り付けられ、実装されている。例えば、複数のＬＥＤ３１ａが、所定の方向に沿って配列されている。複数のＬＥＤ３１ａが配列された方向は、取付部３２及びカバー部３３（照射面３３ａ）が延びる方向に対応する。
【００６４】
複数のＬＥＤ３１ａは、コネクタ３１ｃと電気的に接続されている。また、コネクタ３１ｃは、ハーネス３１ｄを介して、電源と接続される。ハーネス３１ｄ及びコネクタ３１ｃを介して電源からＬＥＤ３１ａに電力が供給されると、ＬＥＤ３１ａから光が発せられる。
【００６５】
図７（ａ）及び図７（ｂ）の例では、光源３１の基板３１ｂに検知手段４０のホールＩＣ４１が設けられている。光源３１は、取付部３２及び固定部３４を介して固定枠体１０に固定される。このように、ホールＩＣ４１及び磁石４２は、固定枠体１０又は可動枠体２０に対して固定されていれば、固定枠体１０又は可動枠体２０に直接設けられていなくても良い。
【００６６】
図８（ａ）は、照明ユニット３０の取付部３２を表す正面図である。図８（ｂ）は、照明ユニット３０の取付部３２を表す平面図である。
図９（ａ）は、照明ユニット３０の取付部３２を表す右側面図である。図９（ｂ）は、照明ユニット３０の取付部３２を表す左側面図である。図９（ｃ）は、図８（ｂ）のＡ−Ａ断面図である。
図８（ａ）、図８（ｂ）、図９（ａ）〜図９（ｃ）は、右側方に配設された照明ユニット３０の取付部３２を表している。
【００６７】
図８（ａ）、図８（ｂ）、及び図９（ａ）〜図９（ｃ）に表したように、取付部３２は、ねじ穴３４ａ及びねじ穴３４ｂの他に、第１傾斜面３２ｃ、第２傾斜面３２ｄ、頂部３２ｅ、溝部３２ｆ、及び凹部３２ｇを有する。
【００６８】
第１傾斜面３２ｃは、取付部３２の下側に設けられ、下方に向くように傾斜している。第２傾斜面３２ｄは、取付部３２の上側に設けられ、上方に向くように傾斜している。第１傾斜面３２ｃ及び第２傾斜面３２ｄは、取付部３２に取り付けられたカバー部３３の照射面３３ａと同じ方向に沿って延びる。
【００６９】
第１傾斜面３２ｃの下端は、第２傾斜面３２ｄの上端と連なっている。第１傾斜面３２ｃと第２傾斜面３２ｄが連なる点には、これらの傾斜面が延びる方向と直交する方向に突出した頂部３２ｅが形成されている。第１傾斜面３２ｃ及び第２傾斜面３２ｄは、図９（ｃ）に表したように、ともに上下方向に対して第１角度θ１で傾斜している。例えば、第１傾斜面３２ｃ及び第２傾斜面３２ｄは、頂部３２ｅを通る水平面を中心として、上下に面対称である。
【００７０】
光源３１は、第１傾斜面３２ｃ及び第２傾斜面３２ｄのいずれにも取り付け可能である。右側方の照明ユニット３０では、第１傾斜面３２ｃに光源３１が取り付けられる。左側方の照明ユニット３０では、例えば図８（ａ）に表した状態から取付部３２を上下に反転させ、第２傾斜面３２ｄに光源３１が取り付けられる。このように、第１傾斜面３２ｃ及び第２傾斜面３２ｄは上下に面対称であるため、１つの取付部３２を、左側方の照明ユニット３０及び右側方の照明ユニット３０のいずれにも適用できる。
【００７１】
図８（ｂ）、図９（ａ）、及び図９（ｃ）に表したように、取付部３２の上端及び下端には、第１傾斜面３２ｃ及び第２傾斜面３２ｄが延びる方向に沿って、溝部３２ｆが形成されている。溝部３２ｆには、後述するカバー部３３の突出部が嵌め込まれる。取付部３２の溝部３２ｆとカバー部３３の突出部が嵌合することで、カバー部３３が取付部３２に固定される。
【００７２】
取付部３２の上端の一部及び下端の一部には、夫々凹部３２ｇが設けられている。カバー部３３を取付部３２に取り付けた際、凹部３２ｇが設けられた部分に隙間が形成される。この隙間を通して、取付部３２に取り付けられた光源３１のハーネス３１ｄが、外部へ引き出される。例えば、溝部３２ｆ及び凹部３２ｇも、頂部３２ｅを通る水平面を中心として、上下に面対称である。
【００７３】
上述したように、取付部３２は、左側方に配設される照明ユニット３０と、右側方に配設される照明ユニット３０と、のいずれにも適用できるように構成されている。この構成によれば、以下のようなことが可能となる。
両内側面Ｓ１及びＳ２の一方に設けられる照明ユニット３０は、光を発した際に、例えば、収納空間ＳＰ２の底面における左右方向の中央部を、第１照度で照射する。この照明ユニット３０を、光源３１の取付部３２への取り付け位置を変更して、両内側面Ｓ１及びＳ２の他方に設ける。この場合でも、照明ユニット３０は、収納空間ＳＰ２の底面における左右方向の中央部を、先ほどと同様の第１照度で照射することができる。すなわち、照明ユニット３０は、光源３１の取付部３２への取り付け位置を変えるだけで、両内側面Ｓ１及びＳ２のどちらにも適用できる。
【００７４】
構成の観点からは、取付部３２は、第１傾斜面３２ｃ及び第２傾斜面３２ｄを有する。これらの傾斜面は、夫々上方及び下方に向いており、上下方向に対して同じ角度で傾斜している。これにより、照明ユニット３０が配設される内側面に応じて光源３１を取り付ける傾斜面を選択することで、照明ユニット３０を両内側面Ｓ１及びＳ２のどちらにも適用できる。
【００７５】
以上の通り、実施形態によれば、左側方に配設される照明ユニット３０の部品と、右側方に配設される照明ユニット３０の部品と、を共通化できる。このため、キャビネット１の部品点数を削減でき、製造コストの低減や、部品の管理コストの低減が可能となる。
【００７６】
以上の通り、実施形態によれば、左側方に設けられた照明ユニット３０と、右側方に設けられた照明ユニット３０と、を共通化できる。このため、キャビネット１の部品点数を削減でき、製造コストの低減や、部品の管理コストの低減が可能となる。
【００７７】
図１０（ａ）は、照明ユニット３０の固定部３４を表す右側面図である。図１０（ｂ）は、照明ユニット３０の固定部３４を表す平面図である。図１０（ｃ）は、照明ユニット３０の固定部３４を表す正面図である。
図１１（ａ）は、図１０（ｂ）のＡ−Ａ断面図である。図１１（ｂ）は、図１０（ａ）のＢ−Ｂ断面図である。
図１２（ａ）は、照明ユニット３０の調整機構３５を表す正面図である。図１２（ｂ）は、照明ユニット３０の調整機構３５を表す平面図である。図１２（ｃ）は、図１２（ａ）のＡ−Ａ断面図である。
図１０（ａ）〜図１０（ｃ）、図１１（ａ）、図１１（ｂ）、及び図１２（ａ）〜図１２（ｃ）は、右側方に配設された照明ユニット３０の固定部３４及び調整機構３５を表している。
【００７８】
固定部３４は、例えば図１０及び図１１に表したように、前後方向において複数のねじ穴３４ａを有し、これらのねじ穴３４ａにねじを通して固定枠体１０の両側板１１へ締結される。ねじ穴３４ｂ及びねじ穴３４ｃは、固定部３４の前後方向の両端に設けられている。図１２（ａ）〜図１２（ｃ）に表したように、調整機構３５は、両端にねじ穴３５ａ及びねじ穴３５ｂを有する。固定部３４のねじ穴３４ｂは、調整機構３５のねじ穴３５ａと重ね合わされ、ねじにより締結される。固定部３４のねじ穴３４ｃは、取付部３２のねじ穴３２ａと重ねあわされ、ねじにより締結される。
【００７９】
図１３（ａ）は、照明ユニット３０のカバー部３３を表す正面図である。図１３（ｂ）は、照明ユニット３０のカバー部３３を表す側面図である。カバー部３３は、図１３（ａ）及び図１３（ｂ）に表したように、半円筒状の部材である。照射面３３ａは、上端から下端に亘って湾曲している。カバー部３３の上端及び下端には、突出部３３ｂが形成されている。これらの突出部３３ｂは、取付部３２の溝部３２ｆと夫々嵌合される。
【００８０】
カバー部３３の照射面３３ａの形状は、例えば、カバー部３３の上下方向における中央を通る面を中心として、上下に面対称である。これにより、光源３１が取付部３２の第１傾斜面３２ｃ及び第２傾斜面３２ｄのいずれに取り付けられた場合でも、照射面３３ａから収納空間ＳＰ２に向けて、同等の輝度の光を照射できる。
【００８１】
以上で説明した実施形態に係るキャビネット１は、単体で用いられても良いし、洗面化粧台やキッチンのシンクなどと一体化されて用いられても良い。
【００８２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネットなどが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８３】
１ キャビネット、  １０ 固定枠体、  １１ 側板、  １２ 後板、  １３ 底板、  １４ 天板、  １５ 仕切り板、  １６ ガイドレール、  ２０ 可動枠体、  ２１ 側板、  ２２ 後板、  ２３ 底板、  ２４ 前板、  ３０ 照明ユニット、  ３１ 光源、  ３１ａ ＬＥＤ、  ３１ｂ 基板、  ３１ｃ コネクタ、  ３１ｄ ハーネス、  ３２ 取付部、  ３２ａ ねじ穴、  ３２ｂ ねじ穴、  ３２ｃ 第１傾斜面、  ３２ｄ 第２傾斜面、  ３２ｅ 頂部、  ３２ｆ 溝部、  ３２ｇ 凹部、  ３３ カバー部、  ３３ａ 照射面、  ３３ｂ 突出部、  ３４ 固定部、  ３４ａ ねじ穴、  ３４ｂ ねじ穴、  ３４ｃ ねじ穴、  ３５ 調整機構、  ３５ａ ねじ穴、  ３５ｂ ねじ穴、  ４０ 検知手段、  ４１ ホールＩＣ、  ４２ 磁石、  θ１ 第１角度、  Ｓ１、Ｓ２ 内側面、  Ｓ３ 天面、  ＳＰ１ 収容空間、  ＳＰ２ 収納空間
【図１】
2020130504.tif 000003
【図２】
2020130504.tif 000004
【図３】
2020130504.tif 000005
【図４】
2020130504.tif 000006
【図５】
2020130504.tif 000007
【図６】
2020130504.tif 000008
【図７】
2020130504.tif 000009
【図８】
2020130504.tif 000010
【図９】
2020130504.tif 000011
【図１０】
2020130504.tif 000012
【図１１】
2020130504.tif 000013
【図１２】
2020130504.tif 000014
【図１３】
2020130504.tif 000015